(57)【要約】【課題】  携帯に嵩張らず楽に綺麗に歯間清掃を行うことができる歯間ブラシ収容具を提供する。【解決手段】  歯間ブラシ収容具１は、表側に鏡１０が設けられた支持体２０と、この支持体２０の裏側に回転機構により回転可能に取り付けられた歯間ブラシキャップ３０とを備える。回転機構は、支持体２０に回転可能に支持された球体２１と、歯間ブラシキャップ３０の先端に設けられ、球体２１を摺動自在に挟持する挟持部３１とを有する。また、支持体２０は、歯間ブラシキャップ３０を保持する止め部２５を有し、歯間ブラシキャップ３０は、その止め部２５に着脱自在に取り付けられる。【選択図】      図１
0003107392.tif 000002
【実用新案登録請求の範囲】
【請求項１】
鏡が設けられた支持体と、この支持体に取り付けられた歯間ブラシキャップとを備えることを特徴とする歯間ブラシ収容具。
【請求項２】
前記歯間ブラシキャップは、回転機構により支持体に回転可能に取り付けられていることを特徴とする請求項１記載の歯間ブラシ収容具。
【請求項３】
前記回転機構は、支持体に回転可能に支持された球体と、歯間ブラシキャップの先端に設けられ、球体を摺動自在に挟持する挟持部とを有することを特徴とする請求項２記載の歯間ブラシ収容具。
【請求項４】
前記支持体は、歯間ブラシキャップを保持する止め部を有し、前記歯間ブラシキャップは、その止め部に着脱自在に取り付けられることを特徴とする請求項１、請求項２又は請求項３記載の歯間ブラシ収容具。
【請求項５】
前記歯間ブラシキャップは、支持体の鏡が設けられた側とは反対側に取り付けられていることを特徴とする請求項１、請求項２、請求項３又は請求項４記載の歯間ブラシ収容具。
【考案の詳細な説明】
【技術分野】
【０００１】
この考案は、歯間ブラシを入れる歯間ブラシキャップを有する歯間ブラシ収容具に関し、特に鏡を設けた歯間ブラシ収容具に関する。
【背景技術】
【０００２】
昨今、虫歯、歯槽膿漏、口臭等を防止するために口腔内の衛生に気を配る人が多くなり、自宅では勿論、外出先でも食後等に歯磨きや、更には歯間清掃を行う機会が増えている。例えば、いつでも、どこでも、歯間ブラシで歯間清掃が行えるように、歯間ブラシを入れる携帯用のケースがある。
【０００３】
一方では、一例として、容器に鏡の付いたフタを設け、容器に仕切りを設け、容器とフタに止め具を設けた清掃用具がある（例えば、特許文献１参照）。この清掃用具は、口腔内の清掃を総合的に行えるように考えられたもので、歯ブラシ、歯間ブラシ、楊子、糸楊子、歯磨き、洗口液、コップが容器内に収納され、フタの裏側に鏡が取り付けられたものである。この清掃用具によれば、携帯に便利であって、いつでも、どこでも、フタの鏡を見ながら、手軽に確実に口腔内を清掃できる。
【特許文献１】特開２００１−１３７１０３号公報
【考案の開示】
【考案が解決しようとする課題】
【０００４】
従来の歯間ブラシ用のケースは、歯間ブラシを携帯するのには便利であるが、鏡が付いていないので、どこでも歯間を綺麗に清掃することが困難である。
【０００５】
これに対して、上記公報記載の清掃用具は、フタの裏側に鏡が付いている上に、容器内に口腔内の清掃に必要な道具がほぼ一式揃っているので、口腔内の多様な清掃には有用である。しかしながら、道具一式を収容するためには或る程度の大きさの容器が必要であり、カバンやバッグ等に入れて携帯に便利ではあっても、例えば服の胸ポケットやズボンのポケット等に入れるのには少々大き過ぎる。特に歯間ブラシによる清掃だけをしたいときは、歯間ブラシ以外の道具までが入った清掃用具をわざわざ携行しなければならず、相当の大きさと重さを持つ清掃用具は嵩張る上に、その清掃用具のフタを開いて手で持って鏡を見ながら歯間ブラシで清掃するのは手が疲れる。
【０００６】
この考案は、そのような問題点に着目してなされたもので、携帯に嵩張らず楽に綺麗に歯間清掃を行うことができる歯間ブラシ収容具を提供することを目的とする。
【課題を解決するための手段】
【０００７】
前記目的を達成するために、本考案の歯間ブラシ収容具は、鏡が設けられた支持体と、この支持体に取り付けられた歯間ブラシキャップとを備えることを特徴とする。
【０００８】
この歯間ブラシ収容具では、支持体に鏡が設けられているので、鏡を見ながら歯間ブラシで歯間清掃を行うことができる。
【０００９】
この歯間ブラシ収容具において、歯間ブラシキャップは、回転機構により支持体に回転可能に取り付けられていることが好ましい。これにより、例えば歯間ブラシキャップを適当な角度まで回転させれば、その歯間ブラシキャップを手で持って鏡を見ることができる。
【００１０】
また、回転機構は、支持体に回転可能に支持された球体と、歯間ブラシキャップの先端に設けられ、球体を摺動自在に挟持する挟持部とを有することが好適である。この回転機構の構成により、歯間ブラシキャップを支持体の面（鏡面）と平行な面内で３６０°回転させることができるだけでなく、支持体から離れる方向にも可能な範囲で回転させることができるようになる。
【００１１】
更に、支持体は、歯間ブラシキャップを保持する止め部を有し、歯間ブラシキャップは、その止め部に着脱自在に取り付けられることが好ましい。これにより、歯間ブラシキャップは、止め部で保持されているときは支持体に固定された状態になり、止め部から解放されたときは回転可能状態になる。
【００１２】
この他、歯間ブラシキャップは、支持体の鏡が設けられた側とは反対側に取り付けられていることが好ましい。歯間ブラシキャップは、支持体の鏡が設けられた側と同じ側に取り付けられても良いが、反対側に有る方が使い勝手が良く、体裁も良い。
【考案の効果】
【００１３】
本考案によれば、支持体に鏡が設けられているので、歯間ブラシの携帯に便利であるのは勿論のこと、歯間ブラシによる歯間清掃を鏡を見ながら楽に綺麗に行うことができる。      
【００１４】
請求項２の構成とすれば、歯間ブラシキャップを回転させて手で持つことで、支持体の鏡を見易い姿勢に簡単にすることができ、鏡の姿勢調整が容易になる。
【００１５】
請求項３の構成とすれば、歯間ブラシキャップの変位可能範囲が広くなり、使い勝手が向上するだけでなく、それを可能とする回転機構の構造が簡素になる。
【００１６】
請求項４の構成とすれば、歯間ブラシキャップを固定状態と回転可能状態とのいずれかに簡単に移行させることができる。
【００１７】
請求項５の構成とすれば、使い勝手が良く、体裁も良い。
【考案を実施するための最良の形態】
【００１８】
以下、実施の形態により、この考案を更に詳細に説明する。
【００１９】
実施形態に係る歯間ブラシ収容具の表側の平面図を図１の(ａ)に、その裏側の平面図を図１の（ｂ）に、図１の(ａ)の矢視Ａから見た側面図を図２の（ａ）に、図２の（ａ）の矢視Ｂから見た側面図を図２の（ｂ）に示す。
【００２０】
この歯間ブラシ収容具１は、鏡１０が設けられた支持体２０と、この支持体２０に取り付けられた歯間ブラシキャップ３０とを備える。支持体２０は、ここでは長円形を呈し、例えば合成樹脂からなる。この支持体２０の表側に、長円形の鏡１０が取り付けられている。鏡１０は支持体２０の表面と同一面上にあるが、これには例えば、支持体２０に鏡１０の肉厚に相当する深さの溝を形成し、その溝に鏡１０を嵌め込んだり、接着したりする。
【００２１】
支持体２０の裏側には、歯間ブラシ４０〔図４の（ｂ）参照〕を挿入する歯間ブラシキャップ３０が取り付けられている。歯間ブラシキャップ３０は、回転機構により支持体２０に対して回転可能である。ここでの回転機構は、支持体２０に回転可能に支持された球体（例えば鋼球）２１と、歯間ブラシキャップ３０の先端に設けられ、球体２１を摺動自在に挟持する挟持部３１とを有する。
【００２２】
図３に要部拡大断面図で示すように、球体２１は、支持体２０の一端部寄りに突設された円柱状の球体把持部２２に形成された球面状凹部２２ａに回転可能に支持されている。歯間ブラシキャップ３０の先端の挟持部３１は、球体２１の中心付近で球体２１を両側から挟み込むことで、球体２１に対して摺動自在である。これにより、歯間ブラシキャップ３０は、支持体２０の面（鏡１０の鏡面）と平行な面内で３６０°回転させることができるだけでなく、支持体２０から離れる方向にも可能な範囲で回転させることができる。
【００２３】
この回転機構(球体２１、球体把持部２２、挟持部３１)により、歯間ブラシキャップ３０の変位可能範囲が広くなり、使い勝手が向上するだけでなく、それを可能とする回転機構の構造が簡素になる。なお、挟持部３１は球体２１から外すことも可能であり、歯間ブラシキャップ３０を交換することもできる。
【００２４】
また、図４の（ａ）に要部拡大断面図で示すように、支持体２０は、歯間ブラシキャップ３０を保持する止め部２５を有する。止め部２５は、ここでは一対の止め片状であり、適度な弾性を有する。この一対の止め部２５間に歯間ブラシキャップ３０を押し込めば、歯間ブラシキャップ３０が支持体２０に固定され、一対の止め部２５間から歯間ブラシキャップ３０を解放すれば、歯間ブラシキャップ３０が前記回転機構により回転可能となる。
【００２５】
この歯間ブラシ収容具１では、使用しないとき（携帯時等）には、図１の（ｂ）のように歯間ブラシキャップ３０を一対の止め部２５間に嵌め込んで支持体２０に固定し、歯間ブラシキャップ３０に歯間ブラシ４０を挿入しておく。外出先での食後等に歯間清掃をするときは、図５のように歯間ブラシキャップ３０を一対の止め部２５間から解放し、支持体２０の表側の鏡１０を見易い姿勢まで歯間ブラシキャップ３０を回転させる。そして、歯間ブラシキャップ３０を手で持って（歯間ブラシキャップ３０を回転させずに支持体２０を手で持っても良い）、鏡１０を見ながら歯間ブラシ４０で歯間を清掃する。従って、歯間の異物や汚れを楽に綺麗に除去できる。
【００２６】
前記したように、この歯間ブラシ収容具１では、歯間ブラシキャップ３０を支持体２０の面（鏡１０の鏡面）と平行な面内で３６０°回転させることができるだけでなく、支持体２０から離れる方向にも可能な範囲で回転させることができるので、図６に示すような使い方も可能である。すなわち、歯間ブラシキャップ３０を支持体２０から離れる方向に動かし、歯間ブラシ収容具１を机上等に立てる。こうすることで、歯間ブラシ収容具１を持たなくても鏡１０を見ることができる。
【００２７】
但し、図６では歯間ブラシ４０を支柱として利用しているが、歯間ブラシ収容具１を立てて歯間ブラシ４０を使用する場合には、歯間ブラシキャップ３０を支柱として利用すれば良い。
【００２８】
なお、上記実施形態では、鏡１０は支持体２０の表側に部分的に設けられているが、支持体２０の表側全体に設けても良い。また、鏡１０は長円形として描かれているが、特に使用上の支障が無いなら、楕円形、円形等でも構わない。この場合、鏡１０の形状を支持体２０の形状に合わせる方がデザイン的に良くなる。勿論、支持体２０の形状も特定されるものではない。
【００２９】
また、歯間ブラシキャップ３０は、支持体２０の鏡１０が設けられた側とは反対側に取り付けられているが、使い勝手に支障が無いなら鏡１０と同じ側に取り付けても良い。
【００３０】
更に、上記支持体２０には、歯間ブラシキャップ３０は１つだけ取り付けられているが、携帯性や使い勝手を損なわない限り２つ以上でも良く、歯間ブラシキャップ３０の個数に応じて収容具の大きさを設定すれば良い。
【００３１】
一方、上記実施形態では、支持体２０に別部品として鏡１０を取り付けてあるが、例えば、支持体を金属（ステンレス等）で構成し、その金属製支持体の任意の部分又は全体を鏡面に仕上げても良い。この場合は、支持体自体が鏡を兼ねることになり、部品点数を削減できる。
【００３２】
この他、止め部２５は一対の止め片状以外にも、支持体２０に断面円形状の凹部を設け、この凹部に歯間ブラシキャップ３０を嵌め込むことで、歯間ブラシキャップ３０を支持体２０に固定するようにしても構わない。
【図面の簡単な説明】
【００３３】
【図１】実施形態に係る歯間ブラシ収容具の表側の平面図(ａ)、及びその裏側の平面図（ｂ）である。
【図２】図１の(ａ)の矢視Ａから見た同歯間ブラシ収容具の側面図（ａ）、及び（ａ）の矢視Ｂから見た同歯間ブラシ収容具の側面図（ｂ）である。
【図３】同歯間ブラシ収容具の回転機構を示す要部拡大断面図である。
【図４】同歯間ブラシ収容具の止め部を示す要部拡大断面図（ａ）、及び歯間ブラシを示す平面図（ｂ）である。
【図５】同歯間ブラシ収容具の歯間ブラシキャップを回転させたときの状態を示す裏側の平面図である。
【図６】同歯間ブラシ収容具の使い方の一例を示す側面図である。
【符号の説明】
【００３４】
１      歯間ブラシ収容具
１０    鏡
２０    支持体
２１    球体
２２    球体把持部
２５    止め部
３０    歯間ブラシキャップ
３１    把持部
４０    歯間ブラシ
【図１】
0003107392.tif 000003
【図２】
0003107392.tif 000004
【図３】
0003107392.tif 000005
【図４】
0003107392.tif 000006
【図５】
0003107392.tif 000007
【図６】
0003107392.tif 000008